(57)【要約】      （修正有）【課題】ロビングバック効果を左右する編機用の針を提供する。【解決手段】編機用針の針であって、フック上のＳ２、Ｓ３、Ｓ４、Ｓ５の少なくとも１つの位置において、長手方向の中心面に対して非対称の断面を有する。好ましくはこの断面は卵形の断面であり、より好ましくは楕円断面であり、断面が針の横断方向に対し傾斜するように配向される。この手段を用いることにより、編み込み操作中のロビングバック効果を狙い目通りとすることが可能となる。【選択図】図３
2010077586.tif 000002
【特許請求の範囲】
【請求項１】
フック（１７）が設けられた針の、長手方向（Ｌ）および横断方向（Ｑ）を画定する長手軸部（１２）を有し、
前記フック（１７）が、少なくとも１つの位置（Ｓ４）において、長手方向の中心面（Ｍ）に対して非対称な断面を有することを特徴とする編機用針（１）。
【請求項２】
前記断面が卵形断面（２３）である請求項１に記載の編機用針。
【請求項３】
前記断面（２３）が、第１の軸（Ａ１）において最大の径（Ｄ１）を有し、第２の軸（Ａ２）において最小の径（Ｄ２）を有し、前記第１の軸（１）と前記針の前記横断方向（Ｑ）とが鋭角（α）をなす請求項２に記載の編機用針。
【請求項４】
前記断面（２３）が、前記針の前記横断方向に対して傾斜するように鋭角（α）をなして配置し、前記角度は２０°と４０°の間にある請求項２に記載の編機用針。
【請求項５】
前記鋭角（α）が前記フック（１７）に沿って変化する請求項２または請求項３に記載の編機用針。
【請求項６】
前記鋭角（α）が前記フック（１７）に沿って一定である請求項２もしくは請求項３に記載の編機用針。
【請求項７】
前記フック（１７）が連続的に前記卵形断面（２３）を有する弧状の部分を有する請求項１に記載の編機用針。
【請求項８】
前記卵形断面（２３）がフックのヘッド部（１７ａ）に形成されることを特徴とする請求項１に記載の編機用針。
【請求項９】
前記第１の軸（Ａ１）の傾斜方向が、前記針の移動方向の関数として定義される請求項１に記載の編機用針。
【請求項１０】
前記鋭角（α）が前記編機用針の糸ガイド側に向かって開かれている請求項２または請求項３に記載の編機用針。
【請求項１１】
前記卵形断面（２３）が楕円断面である請求項１に記載の編機用針。
【請求項１２】
前記第１の軸（Ａ１）が前記楕円の長軸であり、前記第２の軸（Ａ２）が前記楕円の短軸である請求項１０に記載の編機用針。
【請求項１３】
前記フック（１７）が先端（１８）を有し、前記卵形断面（２３）が前記フック（１７）の前記先端（１８）に向かって減少する請求項１に記載の編機用針。
【請求項１４】
前記先端（１８）が丸い断面を有する請求項１３に記載の編機用針。
【請求項１５】
前記フック（１７）の近傍にラッチ（１９）が配置されている請求項１に記載の編機用針。
【発明の詳細な説明】
【技術分野】
【０００１】
本発明はループ形成機および編機用の針に関し、特に丸編機用の鈎針に関する。
【背景技術】
【０００２】
丸編機用の鈎針は基本的には周知である。この鈎針は長手の軸部を有し、その一端にフックがある。フックは糸を拾い上げ、ステッチ（編目）を形成する際には、前以って軸部上に配置したステッチにその糸を潜らせて引き込むように配設されている。拾い上げた糸をフックに取り込むために、例えば、軸部やスライダなどに回動可能に支持されたラッチなどの追加手段を設けることも可能である。
【０００３】
編み込み操作がステッチの列に順次行われる場合には、ステッチ形成の過程でいわゆるロビングバック効果（ｒｏｂｂｉｎｇ−ｂａｃｋ  ｅｆｆｅｃｔ）がみられることがある。編み込み中の編針は、拾い上げた糸を軸部上にある一段前のステッチを潜らせて引き込み、その結果として糸を引っ張る。半ステッチが形成され、それによってフックの両側にタックループが配置される。１つのタックループは供給される糸に伝わり、もう一方のタックループは隣の、その直前に形成された半ステッチに伝わる。この編み込み操作に関しては、新しい半ステッチが形成されるとき、直前に形成された半ステッチから糸が引っ張られやすく、これが前の半ステッチのサイズの減少に繋がる。この効果は“ロビングバック効果”と呼ばれ、望ましくないものである。
【発明の概要】
【発明が解決しようとする課題】
【０００４】
これに鑑み本発明は、ロビングバック効果を左右する編機用の針を提供することを目的とする。
【課題を解決するための手段】
【０００５】
本発明によれば、この目的は、中心軸に対して非対称に構成されたフックを有する編機用針によって達成される。これを実現するために、フックは少なくとも一部分において卵形断面を有し、この断面が針の横断方向に対して傾斜するように配向される。フック先端を含む長手方向の中心面（ｃｅｎｔｅｒ  ｐｌａｎｅ）に対して本質的に対称的な断面を、このように傾斜させることによって、フック断面の上記の非対称性が実現可能となる。
【０００６】
半ステッチが形成されたとき、この非対称性によって、フックに把持された糸の曲率がフックの両側で異なるという効果がもたらされる。ステッチ形成の開始時には、この卵形で傾斜したフック断面のせいで最初はループの廻り込みが緩やかで、その結果フックと糸との間の摩擦力が小さい。その結果として、ステッチ形成操作が最初は特に緩やかで糸にとって負荷が小さい。追加で後続する糸はフックによってたやすく引き出される。糸の卵形断面の長軸が、供給される糸とほぼ平行に配置（ａｌｉｇｎ）している場合、すなわち卵形断面の長軸と針移動の横断方向とに対する角度が糸の供給方向に対して開いている場合には、ステッチ形成操作が促進されてロビングバック効果が減少する。
【０００７】
しかし、フック断面の非対称性は、必要があれば、たとえば特に非常に密な編物を作ろうとする場合などに、ロビングバック効果を増やすようにも利用することができる。
【０００８】
本発明による針は、好ましくは、丸編機によくあるような非対称構成のカムアセンブリを有する編機に利用される。そのような非対称カムアセンブリを有する丸編機は、一方向回転操作用としてのみ設計される。ニードルシリンダあるいはダイアルによって保持された編針は、カムアセンブリの制御カムを介して、常に所定の針の横断方向へ移動する。ステッチ形成は常にこの同一の方向で起きる。糸は常に同一の側から供給される。例えば、編機シリンダが、上から見て反時計方向へ回転するとすれば、垂直断面から見たフックの卵形断面は長軸が水平から時計方向に回転している、つまり長軸が右方向に下がっている。
【０００９】
本発明に従って、フックの細長い卵形断面を斜めに配置すれば、糸とフック表面との間の糸方向へのループ摩擦を所望の分布とすることができる。編針が針溝に深く引き込まれるほど、全体のループの廻り込み量は大きくなり、結果としてループ摩擦が増す。その際に、卵形のフック断面を斜めに配置することによって、既に編地となっている側に保持されている糸の端の方が、糸の供給元に繋がっている糸の自由端に比べてより大きなループ摩擦を受ける。こうなるために、卵形断面の長軸が、既に形成された編地の側から見て上り勾配に配置される。糸の供給元に向かってループ摩擦が低く、既に形成された編地の方向に向かってループ摩擦が大きいために、編針は好ましくはセットアップの糸を形成しようとするステッチに引き込み、既にできている隣接するステッチの側には弱い力での引っ張りを維持する。こうして、ロビングバック効果は軽減された。
【００１０】
前述したように、所望であれば、この卵型断面を反対方向に傾斜させることによってロビングバック効果を強めることもできる。
【００１１】
卵形断面は２つの軸で特徴づけられる。１つの軸は断面の最大の径を有し、もう１つは断面の最小の径を有する。最大の径を表す第１の軸が、針の横断方向に対して傾斜するように配置される。針の横断方向とは、編機用針の軸部と直交する方向であり、従って、針の長手方向と直交する。針の長手方向は、編機用針の軸部の長手方向に一致する。好ましくは、軸部は直線になるように構成される。すなわち特に、フックが横方向に曲げられたり中心を外したり、つまり他のいかなる形であれ針の長手方向から外れるように曲げられない。言い換えれば、長手方向の中心面が存在して、この面上に針の先端からフックおよび軸部に至る中心線が配置される。
【００１２】
第１の軸と編針の横断方向とがなす鋭角αは好ましくは２０°と４０°の間の範囲にあり、より好ましくは３０°である。結果的に、編機用針の大部分の用途を考えると第１の軸は糸に対して基本的に平行に配置され、そうして所望の摩擦条件を作り出す。鋭角αはフックに沿って変化してもよいし一定であってもよい。鋭角αがフック断面に沿って一定であれば、多くの用途において所望の効果を出すことができる。しかしこの鋭角を、フックヘッドと見なし得るフックの先端に近い領域と、針胸部傾斜領域に近いフックの先端から離れた領域とで違う大きさにすることも効果的である。例えば、ニードルヘッドでの鋭角αを約３０°とし、その他の場所での角度がそれより小さいか、場合によっては所望により大きくしてもよい。
【００１３】
好ましくは、非対称フック断面の断面積がフック先端に向かって小さくなっていく。所望によっては、この断面積が数か所においてフックの断面積と同一となるように構成されてもよい。
【００１４】
非対称断面は楕円断面で構成されてもよい。上述したように、楕円の第１の軸（長軸）が中心面に対する針の横断方向に対して傾斜位置となっているために非対称となる。しかし、楕円断面そのものは対称的な形状をしている。楕円形状は第１の軸に対しても第２の軸に対しても対称的である。さらに、楕円中心に対して点対称である。
【００１５】
しかし、卵形断面が低い対称性を示してもよい。例えば、この断面が卵形状であれば本質的に非対称である。
【００１６】
本発明の更なる利点の詳細、あるいはその他の状況は、請求項、明細書、もしくは図面で述べられる。その際に、図面および明細書は、諸状況と共に本発明の主要要素の説明に限定されるものである。図面は例示的実施形態の説明を補足する。
【図面の簡単な説明】
【００１７】
【図１】編み込みの操作を説明するために、丸編機の詳細を概略的に示す透視図である。
【図２】図１の編機の編機用針の詳細を示す透視図である。
【図３】図２の編機用針の側立面図である。
【図４】図３の線ＩＶ−ＩＶに沿った、編機用針の断面図である。
【図５】編み込み操作中の２本の針を示す図であり、フックは図３の線ＩＶ−ＩＶに沿った断面を示す図である。
【図６】編み込みプロセスのさまざまなステップにおける、楕円断面フックを有する編機用針のルーピング状態を示す概略図である。
【図７】編み込み操作のさまざまなステップにおける、卵形断面フックを有する編機用針のルーピング状態を示す図である
【発明を実施するための形態】
【００１８】
図１に丸編機1の詳細を示す。この編機は編機シリンダ２を備え、その中に本発明による編機用針３が配列される。区別のために、編機用針３にはインデックスａ、ｂ、ｃ、ｄを付す。編機用針３ａから３ｅはそれぞれ同一の構造を有する。従って、以下では編機用針３ａから３ｅの１つを説明する場合に、その同一針の参照には符号３を一般的に使用する。
【００１９】
丸編機１のニードルシリンダ２は針溝４ａ〜４ｅを備え、これらのチャネルは編機シリンダの胴体表面に沿って垂直に配列され、編機用針３がそれぞれの針の長手方向にスライドできる。針の長手方向は、図１の垂直方向と一致する。それぞれの編機用針３を動かすためにカムアセンブリ５が設けられ、このカムアセンブリは少なくとも１つの制御カム６を備えていて、編針３の脚部８（８ａ〜８ｅ）が制御カムの曲面７に沿ってスライドして、編機用針３に長手方向の動きを与える。カムアセンブリ５が非動作位置にある間、矢印９の方向、すなわち図１に例示した実施形態では反時計方向、に編機２が回転する。編機シリンダ２の移動方向は固定されていて、動作中は一定に保たれる。この事実を利用して制御カム６は編機用針３の動きに最適化され、非対称構成となっている（すなわち、その上り面の１つは、その下り面とは異なっている）。編機用針は、編機に糸１１を連続的に供給して製造される編地１０を支える。編機シリンダ２およびそれに伴って編機用針３が回転している間中、糸は固定位置から供給される。
【００２０】
図２は１つの編機用針３の機構部分を示したものである。明らかなように編機用針３は、矢印で示した長手方向Ｌに平行に伸びる直線的な軸部１２を有し、この軸部には少なくとも１つの脚部８（図示せず）が形成されている。軸部１２は２つの基本的に平坦な側面１３、１４を有し、これらは互いにほぼ平行となっている。編機用針３の針背部１５はそれぞれの針溝１５の底部に接し、その一方、編針の上側１６は（編機シリンダの）外向きに張り出している。
【００２１】
軸部１２の端には、先端１８で終わるフック１７がある。フック１７は、ラッチ溝２０の中に回動可能に支持され、フック１７を開閉するために配設されたラッチ１９と連携している。その際に、ラッチの一端２１がフック端部に接する、もしくはフック１７から回転して離れる、ことが可能である。
【００２２】
図３から明らかなように、軸部１２を貫通して延在する中心線２２を考えることができ、この中心線が曲線としてフックを貫通し、フックの先端１８と交差する。好ましくは、中心線２２は図３の投影面に平行な平面内に位置する。この平面は、図４の一点鎖線で示された中心面Ｍを形成する。この中心面は編機用針３およびそのラッチ１９の中心を貫通して延在する。
【００２３】
本発明による編機用針３の特別の特徴はそのフック１７の構造である。好ましくは、このフックが少なくとも１つの位置、たとえばヘッド１７ａ、において卵形の断面２３を有し、この断面が図４から明らかなように、針の横断方向Ｑに対して傾斜している。ヘッド１７ａは、フック先端１８と針背部１５との間に位置するフック１７、特にはそのＵ字型湾曲部、の一部である。
【００２４】
更なる説明のために、先ず図３を参照する。針胸部の傾斜領域２４において針の上側１６が、フック１７の始点２５でフック１７に向かって下がっている。針の断面は、針胸部傾斜領域２４で丸くなっていてもよいし、あるいは角が丸められた矩形断面で構成されていてもよい。この位置においては、断面は中心面Ｍに対して対称的である。しかしフック１７においては、断面は中心面Ｍに対して少なくとも１つの位置で非対称であってよい。説明のために、図３にさまざまな交線Ｓ１、Ｓ２、Ｓ３、Ｓ４、Ｓ５、Ｓ６を示す。例として交線Ｓ１を考えてみると、丸い、基本的に円形の断面であるが、これが、針胸部傾斜領域２４から遠く離れたフック１７の部分のＳ２においては卵形の断面となる。さらに、交線Ｓ３、Ｓ４、Ｓ５でも卵形の断面となっていて、最終的には針の先端１８に近い、たとえばＳ６において断続的に丸い断面となっていてもよい。
【００２５】
図４は交線Ｓ４の場合におけるフックを断面で示したもので、図３の矢印で視線の方向を示している。明らかなように、卵形断面はここでは楕円断面として表されている。この楕円の図心Ｆは中心面Ｍ上にある。図心Ｆとは楕円断面２３の中心である。この断面（例：楕円）の最大の径Ｄ１の方向が第１の軸Ａ１を定義する。最小の径Ｄ２が、第２の軸すなわち短軸を定義する。いずれの軸Ａ１、Ａ２も図心Ｆを通る。
【００２６】
明らかなように、第１の軸Ａ１は、長手方向の中心面Ｍに垂直となっている針の横断方向Ｑに対して、角度αだけ傾斜している。好ましくはこの鋭角αは３０°である。しかし、この角度はそれからずれていてもよい。ただし少なくとも２０°から４０°の範囲内にあることが好ましい。編機用針３が図１の３ｃ、３ｄの位置に一致する突き出た位置にある場合に、第１の軸Ａ１は、好ましくは糸１１と平行になるように配置される。
【００２７】
上記の条件はフックヘッド１７ａ、すなわち針背部１５と基本的に平行であり、従って長手方向Ｌとほぼ平行に延在する交線Ｓ４における、フック１７に当てはまる。その結果好ましくは、交線Ｓ４の近傍の交線Ｓ２、Ｓ３、Ｓ５の位置におけるフック１７の断面にもこの説明が当てはまる。その際に、フックは入ってくる糸１１の側に、反対側（図４、図６、図７の右側の端部Ｒ２）よりもより大きく開いた端部Ｒ１（図４、図６、図７中の左側）を有する。端部Ｒ１およびＲ２はそれぞれフック１７と中心線２２の曲率に追従する。中心線はすべての断面の図心Ｆを通る。端部Ｒ１の曲率半径は、好ましくは端部Ｒ２の曲率半径よりも大きい。中心線２２の曲率半径は、好ましくはＲ１とＲ２の中間にある。端部Ｒ１、Ｒ２における接線は中心面Ｍに平行である。
【００２８】
以上に述べた編機用針３は次のように作用する。
【００２９】
編機シリンダ２が回転すると編機用針３が編機シリンダ２と共に円に沿って移動する。針の脚部８が制御カム６の曲線パス７に沿って動き、これにより編機用針３が交互に糸の供給定位置まで押し出される。図１では編機用針３ａ、３ｂ、３ｃが駆動方向の外方向へ移動し、編機用針３ｃがちょうど折り返し点に到達したところである。そのフック１７が糸１１の上に位置し、針が下向きに動くと、その前の針３ｅおよび３ｄが既に行ったように、糸を捕捉する。その際に、フック１７に捕捉された糸１１は、その前に編機用針３ｅの軸部の上に引き寄せられていた前段のステッチ２６を潜って再度引かれる。
【００３０】
図５により操作の個々のステップの過程を改めて説明する。編機用針３ｅについて考えると、形成されたばかりの半ステッチ２７が２つの脚部２８，２９を有し、これらはフック１７の端部Ｒ１，Ｒ２の幅が異なるために、異なる摩擦条件を受けることは明白である。このことは、拡大して、しかも随意的に少し理想化された状態で表示された図６からも明らかとなる。そこに表示されている断面２３を参照すると、フックの内側表面への接線Ｔが横断方向Ｑと平行になる点３０が示されている。ここを始点としてタックループ２８へ至る経路が、タックループ２９への経路よりも曲率が小さい。従って、タックループ２９がフック１７から受ける摩擦条件がタックループ２８が受ける摩擦条件とは少し違う。図１の糸１１は前段のステッチ２６越しに容易に引き込むことができるが、その際に糸は既に形成されている半ステッチ２７によってほとんど収縮することはない。その結果として、編地の半ステッチが形成された後は、害のある程縮まることはない。
【００３１】
この効果は、卵形の断面やその他の楕円形からずれた非対称断面を用いて発生させることもできる。図７にそのような例示の実施形態を示す。フック１７の非円形断面３１が図心Ｆ’を有する。ここで再び、図心を通る最大の径Ｄ１および最小の径Ｄ２が決まり、これらがまた第１の軸Ａ１および第２の軸Ａ２を形成する。ここでも、長軸Ａ１は横断方向Ｑに対して、好ましくは３０°の鋭角で傾斜している。また、入ってくる糸１１に面する端部Ｒ１が糸の出口側の端部Ｒ２よりもより広くなっている。ここで、Ｒ１およびＲ２は、フック表面が長手方向の中心面Ｍに平行となる、フック１７上の点である。
【００３２】
本発明によれば、編機用針が提案され、この針がフック上のＳ２、Ｓ３、Ｓ４、Ｓ５の少なくとも１つの位置において、長手方向の中心面Ｍに対して非対称の断面を有する。好ましくはこの断面は卵形の断面であり、より好ましくは楕円断面である。この手段を用いることにより、編み込み操作中のロビングバック効果を狙い目通りとすることが可能となる。
【符号の説明】
【００３３】
１     編機
２     編機シリンダ
３     編機用針（３ａ〜３ｅ）
４     針溝（４ａ〜４ｅ）
５     カムアセンブリ
６     制御カム
７     曲面
８     脚部（８ａ〜８ｅ）
９     矢印
１０   編地
１１   糸
１２   軸部
Ｌ     長手方向
１３、１４    側面
１５   針背部
１６   針胸部
１７   フック
１７Ａ ヘッド
１８   先端
１９   ラッチ
２０   ラッチ溝
２１   一端
２２   中心線
Ｍ     中心面
Ｑ     針の横断方向
２３   断面
２４   針胸部傾斜領域
２５   フック１７の開始部分
Ｓ１−Ｓ６  交線
Ｆ、Ｆ’  図心
Ｄ１   最大の径
Ａ１   第１の軸
Ｄ２   最小の径
Ａ２   第２の軸
α     針の横断方向と第１の軸がなす鋭角
２６   前段のステッチ
２７   半ステッチ
２８、２９    脚部
３０   接線Ｔが横断方向Ｑと平行になる点
３１   断面
Ｆ’   面積の中心／図心
Ｔ     接線
Ｒ１、Ｒ２    端部
【図１】
2010077586.tif 000003
【図２】
2010077586.tif 000004
【図３】
2010077586.tif 000005
【図４】
2010077586.tif 000006
【図５】
2010077586.tif 000007
【図６】
2010077586.tif 000008
【図７】
2010077586.tif 000009
【外国語明細書】
2010077586000001.pdf